(57)【要約】【課題】引戸の上端と戸枠との間の隙間が大きい場合や、風や人の操作で引戸がガタついた場合などにおいても、引戸側電極と枠側電極が確実に接触され接触不良が防止され、引戸の閉鎖時に、両電極との接点の接触部分の位置ずれが防止でき、電気的なノイズの発生がなく、各電極に付着したゴミが除去される引戸用の通電装置を提供すること。【解決手段】引戸側電極２４と引戸側磁石２６とを有しかつ引戸に設けた引戸側電極内蔵体２３を、バネ２７により常時は戸枠側方向に付勢すると共に、枠側電極３４と枠側磁石３６とを有しかつ戸枠に設けた枠側電極内蔵体３３を、バネ３７により常時は引戸側方向に付勢し、枠側電極内蔵体３３は、前部を開口したケース２１に収納すると共に、該枠側電極内蔵体３３とケース２１との間には引戸の開閉方向及び厚さ方向に遊びを形成してある。【選択図】        図２
2007297881.tif 000002
【特許請求の範囲】
【請求項１】
電気錠が接続される引戸側リード線の一端に接続した引戸側電極と、この引戸側電極とは別体に設けた引戸側磁石とを有する引戸側電極内蔵体を、引戸に設けるとともに、この引戸側電極内蔵体はバネにより常時は戸枠側方向に飛び出すように付勢されており、
制御盤側リード線の一端に接続した枠側電極と、この枠側電極とは別体に設けた枠側磁石とを有する枠側の電極内蔵体を、戸枠に設けるとともに、この枠側電極内蔵体はバネにより常時は引戸側方向に飛び出すように付勢されており、
前記枠側電極内蔵体は、前部を開口したケースに収納するとともに、該枠側電極内蔵体と前記ケースとの間には引戸の開閉方向及び引戸の厚さ方向に遊びを形成してあり、
引戸の閉鎖時には、前記引戸側磁石と枠側磁石とは吸引し合い引戸の完全閉鎖まで引戸側電極と枠側電極とがお互に接触して摺動して通電状態となり、引戸の開放時には、引戸側電極と枠側電極とは接触している区間ではお互に接触して摺動して、両電極同士が非接触状態となると引戸側磁石と枠側磁石とは非通電状態となることを特徴とする引戸用の通電装置。
【請求項２】
前記引戸側電極内蔵体と枠側電極内蔵体とは、引戸の開放状態から閉鎖する際に、お互が向き合う始端面を傾斜面としてある請求項１に記載の引戸用の通電装置。
【発明の詳細な説明】
【技術分野】
【０００１】
本発明は、引戸に取付けた電気錠側のリード線と、戸枠側に設けた制御盤側のリード線とを通電するための引戸用の通電装置に関する。
【背景技術】
【０００２】
従来、この種の引戸用の通電装置としては、特許第３７１９３１１号公報（特許文献１）に記載のものが知られている。この公報に記載の引戸用の通電装置は、引戸の框に取付けられかつ引戸側リード線を介して電気錠に接続される磁石一体型の固定電極と、戸枠に取付られかつ電極収納ガイド部を有する支持ボックスと、この支持ボックス内に移動可能に設けられていると共に、支持ボックスに設けられたバネ部材のバネ力により常時後退（戸枠）方向に付勢されかつ制御盤側のリード線と接続される磁石一体型の可動電極とからなっている。そして、前記可動電極は、固定電極の磁石の極性に対応して該固定電極に吸着する磁石を有する接触部と、この接触部の一側面から支持ボックスのガイド小孔を貫通して該支持ボックスのリード線用空間部へと延びるガイドバーと、このガイドバーの突出上端部に設けられたストッパーとから構成され、引戸の閉鎖時には、前記可動電極は、支持ボックスの電極収納ガイド部からバネ部材のバネ力に抗して飛び出して扁平状の接触面を有する固定電極に吸着され、引戸の開放時には、固定電極の扁平状の接触部分が可動電極に対してスライドするものである。
【０００３】
【特許文献１】特許第３７１９３１１号公報
【発明の開示】
【発明が解決しようとする課題】
【０００４】
しかしながら、上記特許文献１に記載の引戸用の通電装置では、磁石と一体形成した固定電極を引戸の框に固定するとともに、磁石と一体形成した可動電極を、戸枠に固定した支持ボックス内にバネにより常時後退方向に付勢して収納し、引戸の閉鎖時には、前記可動電極は支持ボックスからバネ部材のバネ力に抗して引戸方向に飛び出して固定電極に吸着されるものである。従って、引戸の上端と戸枠との間の隙間が大きい場合や、風や人の操作で引戸がガタついた場合などにおいて、この従来例の如く、片方の可動電極側のみが付勢される引戸用の通電装置では、引戸の閉鎖時に、引戸側電極と枠側電極同士が確実に接触し難く接触不良を起す虞れがあった。
【０００５】
また、この特許文献１のものでは、上述のように固定電極に対して可動電極のみが移動するものであるため、引戸の上端と戸枠との間の隙間が大きい場合や、風や人の操作で引戸がガタついた場合などにおいて、固定電極と可動電極との接点の接触部分の位置関係がずれて、電気的なノイズが発生し、接触不良や制御回路等に多大の悪影響を及ぼすという問題があった。
【０００６】
さらに、この特許文献１のものでは、引戸の開放時には、固定電極の扁平状の接触部分が可動電極に対してスライドして、接点が磨かれて各電極に付着したゴミが除去されるが、引戸の閉鎖時には、引戸が完全に閉鎖するまで（つまり固定電極側の磁石と可動電極側の磁石とが吸着し合うまで）は、両磁石同士は反発し合っているため、固定電極と可動電極とが接触することがなく、各電極に付着したゴミを除去することはできないという問題があった。
【０００７】
本発明は、上記問題点を解消するために案出したものであり、引戸側電極と枠側電極の両電極が互いに対向する方向に常時に付勢されて独立して動くことによって、引戸の上端と戸枠との間の隙間が大きい場合や、風や人の操作で引戸がガタついた場合などにおいても、両電極同士が確実に接触され接触不良が防止される。また、枠側電極内蔵体をケース内に遊動状態で収納することにより、引戸の閉鎖時に、引戸側磁石と枠側磁石同士が吸引し合うことで引戸側電極と枠側電極との接点の接触部分の位置ずれが防止でき、電気的なノイズの発生がなくなる。さらに、引戸の開放時のみならず引戸の閉鎖時のいずれにおいても、引戸側電極と枠側電極とはお互に摺動して接点が磨かれて、各電極に付着したゴミが除去されるなどの優れた効果を奏する引戸用の通電装置を提供しようとするものである。
【課題を解決するための手段】
【０００８】
上記課題を解決するため、本発明の請求項１に記載の引戸用の通電装置は、電気錠が接続される引戸側リード線の一端に接続した引戸側電極と、この引戸側電極とは別体に設けた引戸側磁石とを有する引戸側電極内蔵体を、引戸に設けるとともに、この引戸側電極内蔵体はバネにより常時は戸枠側方向に飛び出すように付勢されており、制御盤側リード線の一端に接続した枠側電極と、この枠側電極とは別体に設けた枠側磁石とを有する枠側電極内蔵体を、戸枠に設けるとともに、この枠側電極内蔵体はバネにより常時は引戸側方向に飛び出すように付勢されており、前記枠側電極内蔵体は、前部を開口したケースに収納するとともに、該枠側電極内蔵体と前記ケースとの間には引戸の開閉方向及び引戸の厚さ方向に遊びを形成してあり、引戸の閉鎖時には、前記引戸側磁石と枠側磁石とは吸引し合い引戸の完全閉鎖まで引戸側電極と枠側電極とがお互に接触して摺動して通電状態となり、引戸の開放時には、引戸側電極と枠側電極とは接触している区間ではお互に接触して摺動して、両電極同士が非接触状態となると引戸側磁石と枠側磁石とは非通電状態となることを特徴とする。
【０００９】
また、請求項２に記載の引戸用の通電装置は、前記引戸側電極内蔵体と枠側電極内蔵体とは、引戸の開放状態から閉鎖する際に、お互が向き合う始端面を傾斜面としてある。
【発明の効果】
【００１０】
請求項１に記載の発明によれば、引戸側電極と引戸側磁石とを有しかつ引戸に設けた引戸側電極内蔵体を、バネにより常時は戸枠側方向に飛び出すように付勢するとともに、枠側電極と枠側磁石とを有しかつ戸枠に設けた枠側電極内蔵体を、バネにより常時は引戸側方向に飛び出すように付勢しているから、引戸を完全に閉鎖した状態では、前記引戸側電極内蔵体のバネの付勢力と枠側電極内蔵体のバネの付勢力とが両方から隙間中央へ向けて作用するのに加え、引戸側磁石とそれに対応する枠側磁石との磁性吸着力の相乗効果により、引戸側電極内蔵体と枠側電極内蔵体とが完全に、かつ正常な導通状態に確実に保持され、引戸側電極と枠側電極とが強固にかつ確実に接触する。そのため、引戸の上端と戸枠との間の隙間が大きい場合や、風や人の操作で引戸がガタついた場合などにおいても、両電極同士が確実に接触され接触不良が防止される。
【００１１】
また、枠側電極内蔵体は、前部を開口したケースに収納するとともに、該枠側電極内蔵体と前記ケースとの間には引戸の開閉方向及び引戸の厚さ方向に遊びを形成してあるから、引戸の閉鎖時に、引戸側磁石と枠側磁石同士が吸引し合うことにより引戸側電極内蔵体と枠側電極内蔵体同士の位置が決まり、一方の電極内蔵体が移動した場合、前記磁石の吸引力で他方の電極内蔵体はそれに追随する。そのため、引戸側電極と枠側電極との接点の接触部分の位置ずれが防止でき、電気的なノイズの発生がなくなり、制御回路への影響を回避することができる。
【００１２】
さらに、引戸の閉鎖時には、前記引戸側磁石と枠側磁石とは吸引し合い引戸の完全閉鎖まで引戸側電極と枠側電極とがお互に接触して摺動して通電状態となり、引戸の開放時には、引戸側電極と枠側電極とは接触している区間ではお互に接触して摺動して、両電極同士が非接触状態となると引戸側電極と枠側電極とは非通電状態となるから、引戸の開放時のみならず引戸の閉鎖時のいずれにおいても、引戸側電極と枠側電極とはお互に摺動して接点が磨かれて、各電極に付着したゴミが除去されるなどの優れたクリーニング効果を有する。
【００１３】
請求項２に記載の発明によれば、引戸側電極内蔵体と枠側電極内蔵体とは、引戸の開放状態から閉鎖する際に、お互が向き合う始端面を傾斜面としてあるから、引戸を開放状態から閉鎖する際に、引戸側電極内蔵体と枠側電極内蔵体との互いに向き合う始端面が当接することがあっても、その始端面の斜面の作用によりお互に押し込むため、引戸の閉鎖操作が支障なく円滑に行える効果を有する。
【実施例】
【００１４】
本発明の一実施例を図１〜図１５に基づいて以下に説明する。
図１は本発明に係る引戸用の通電装置を取付けた使用状態の一例を示した正面図である。この図１で、ａは片引戸や引違い戸などの引戸であって、この引戸ａによって、戸枠ｂの開口ｂ３を開放又は閉塞する。１は引戸ａの縦框ａ１に取付けた電気錠、１０は引戸用の通電装置であって、この実施例では、引戸ａの上框ａ２と、閉戸状態において前記上框ａ２と対向する戸枠ｂの上枠ｂ２とに取付られている。前記電気錠１は、引戸用の通電装置１０と引戸側リード線２５を介して電気的に接続されており、前記引戸側リード線２５に電流を供給又は停止することにより、電気錠１に設けた錠杆２を、戸枠ｂの縦枠ｂ１に設けた受孔３に係脱する。また、引戸用の通電装置１０の他方には、電源４と接続した制御盤５を介して制御盤側リード線３５が電気的に接続されている。
【００１５】
前記引戸用の通電装置１０の具体的な構成を図２〜図１５に基づいて以下に詳述する。  この引戸用の通電装置は、大別すると、引戸ａの上框ａ２に取付けた引戸側ユニット２０と、戸枠ｂの上枠ｂ２に取付けた枠側ユニット３０とからなっている。
【００１６】
引戸側ユニット２０は、断面コ字状の収納室２１ａと該収納室２１ａの開口縁部の左右長手方向に延設した鍔部２１ｂとを有する絶縁性のケース２１と、このケース２１の収納室２１ａにケース２１の開口部２１ａ１から出没可能に内装した絶縁性の引戸側電極内蔵体２３とを備えている。
【００１７】
前記引戸側電極内蔵体２３は、例えば図２、図４及び図５に沿って言うと、断面がほぼコ字状で方形状のケースをなしており、このケースの上部側（図２で言うと、枠側ユニット３０と対向する側）には、左右長手方向のほぼ中央近くに引戸側電極２４，２４を離間して設け、この引戸側電極２４，２４の下部側に前述の引戸側リード線２５，２５の一端を接続している。また、前記ケースの左右長手方向の両端近くには、前記引戸側電極２４，２４と離間しかつ別体で異極の引戸側磁石２６，２６が設けてある。
【００１８】
そして、前記引戸側電極内蔵体２３とケース２１とを組み付ける場合は、例えば、ケース２１の鍔部２１ｂの上面（表面）にフロント板２１ｃを固定める前に、予め引戸側リード線２５や引戸側電極２４，２４や引戸側磁石２６，２６を組み付けた、引戸側電極内蔵体２３の下部側（裏面側）に形成したバネ嵌挿筒２１ｄ，２１ｄに、コイルバネ等のバネ２７，２７を嵌挿する。この状態の引戸側電極内蔵体２３をケース２１の収納室２１ａに収納した後に、前記フロント板２１ｃをケース２１の鍔部２１ｂに例えばカシメピン２１ｅで加締めて、ケース２１と引戸側電極内蔵体２３を組み付けるとよい。従って、引戸側電極内蔵体２３は、図４及び図１４に示すように、常時には、上記バネ２７，２７により戸枠側方向に飛び出すように付勢されている。このとき、引戸側電極内蔵体２３は、前記バネ嵌挿筒２１ｄの外周壁に突出したフランジ２１ｄ１が、前記フロント板２１ｃの内側フランジ２１ｃ１に係止されて、それ以上の飛び出しが規制されている。
【００１９】
前述の如く、引戸側電極内蔵体２３とケース２１とを組み付けた状態で、このケース２１を引戸ａの上框ａ２に形成した収納部ａ２１に嵌装して、フロント板２１ｃ及び鍔部２１ｂに形成した孔を介してねじ２８等により固定する。
【００２０】
引戸側ユニット２０は、前述したように構成されているので、引戸側磁石２６が枠側ユニット３０の枠側磁石３６と近接していない状態、即ち引戸が開放された状態時には、図４及び図１４に示されているように、引戸側電極内蔵体２３はバネ２７の付勢力によって戸枠側方向に最大ストローク（２１ｄ１が２１ｃ１に係止するまで）飛び出す。また、図５に示されているように、バネ２７の付勢力に抗して矢印Ａ方向に押すと、引戸側電極内蔵体２３は、バネ嵌挿筒２１ｄの下端部がケース２１に当接する位置まで下動される。さらに、引戸の閉鎖時には、図２に示されているように、引戸側電極内蔵体２３の引戸側磁石２６と枠側ユニット３０の枠側電極内蔵体３３の枠側磁石３６とが対向する状態に位置し、両磁石同士の吸着力と、引戸側電極内蔵体２３のバネ２７，２７と枠側電極内蔵体３３のバネ３７との釣合関係により、引戸側電極内蔵体２３は図２の如く戸枠側方向に飛び出している。引戸ａの開放時には、図１４に示されるように引戸側電極内蔵体２３，枠側電極内蔵体３３は各バネ２７，３７の付勢力によりケース２１，３１から突出している。
そして、引戸ａを閉めると、完全に閉まる直前の状態で図１３に示されるように、引戸側ユニット２０の引戸側電極内蔵体２３と枠側ユニット３０の枠側電極内蔵体３３の傾斜面２３ｃ，３３ｃとが当接し、斜面の作用により引戸側電極内蔵体２３，枠側電極内蔵体３３は各々バネ２７，３７に抗して後退し接する状態となる。更に引戸を閉めて完全に閉めると図２の状態となる。なお、図１３の状態で磁石３６と２６は反発する力が作用するが、その反発力によって引戸側電極内蔵体２３と枠側電極内蔵体３３とが接しない状態（離れた状態）とはならないようにすることが好ましい。
【００２１】
枠側ユニット３０は、断面コ字状の収納室３１ａと該収納室３１ａの開口縁部の左右長手方向に延設した取付板３１ｂとを有する絶縁性のケース３１と、このケース３１の収納室３１ａに出没可能に内装した絶縁性の枠側電極内蔵体３３とを備えている。
なお、取付板３１ｂの長手方向の中央部から両端近くまでは、枠側電極内蔵体３３が出没するための開口３ｂ１が形成されている。
【００２２】
前記枠側電極内蔵体３３は、例えば図２、図６〜図１１に沿って言うと、断面がほぼコ字状で外形がほぼ方形状のケースをなしており、該ケースの中央部に形成した凹陥部３１ｄにはコイルバネ等のバネ３７を嵌装しており、このバネ３７で枠側電極内蔵体３３を引戸側方向に付勢している。前記ケースの下部側（図２で言うと、引戸側ユニット２０と対向する側）には、左右長手方向の略中央近くに板ばね状の枠側電極３４，３４を離間して設け、この枠側電極３４，３４の一部に前述の制御盤側リード線３５，３５の一端を接続すると共に、他端をケース３１のリード線導入孔３１ｃから導出して制御盤５に接続している。
【００２３】
前記枠側電極３４は、屈曲された板ばね状に形成され、その基端部は枠側電極内蔵体３３（ケース体）のバネ導入孔３１ｅの上端部に嵌入される一方、先端部は、下向き突出部３４ａとして引戸側電極２４と確実に接触するように形成するとともに、基端部近くに設けたコイルバネ等のバネ３８，３８により下向き突出部３４ａが、前記バネ３７の付勢力と相俟って、引戸側電極２４，２４に確実に接触するように付勢してある。
【００２４】
また、前記ケース３１の下部側の左右長手方向の両端近くには、前記枠側電極３４，３４と離間しかつ別体で異極の枠側磁石３６，３６が設けてある。
【００２５】
次に、前記枠側電極内蔵体３３とケース３１とを組み付ける場合の一例について説明する。先ず、枠側電極内蔵体３３に、制御盤側リード線３５の一端を結線した枠側電極３４，３４，枠側磁石３６，３６及びバネ３７，３８，３８を組み付ける。次にこの状態の枠側電極内蔵体３３をケース３１の収納室３１ａに収納した後に、ケース３１の収納室３１ａの開口縁部に取付板３１ｂを当接して、該取付板３１ｂとケース３１とをビス３９で固定して、ケース３１と枠側電極内蔵体３３とを組み付ける（図１１参照）。従って、枠側電極内蔵体３３は、図６及び図１４に示すように、常時には、上記バネ３７，３７により引戸側方向に飛び出すように付勢されている。このとき、枠側電極内蔵体３３は、該枠側電極内蔵体３３の外周壁に突出したフランジ３３ａが、前記取付板３１ｂの開口３１ｂ１縁部に形成した内側フランジ３１ｂ２に係止されて、それ以上の飛び出しが規制されている。
【００２６】
前述の如く、枠側電極内蔵体３３とケース３１とを組み付けた状態で、戸枠ｂの上枠ｂ２に形成した収納部ｂ２１に、前記ケース３１を嵌装して、上枠ｂ２に当てがったケースの取付板３１ｂに形成した穴４０を介してネジ４１により、取付板３１ｂを上枠ｂ２に固定する。
【００２７】
枠側ユニット３０は、前述したように構成されているので、枠側磁石３６が引戸側ユニット２０の引戸側磁石２６と作用しない常態時には、図６、図７及び図１４に示されているように、枠側電極内蔵体３３はバネ３７の付勢力によって引戸側方向に最大ストローク（３３ａが３１ｂ２に係止するまで）飛び出す。また、図８に示されているように、バネ３７の付勢力に抗して戸枠側方向に押すと、枠側電極内蔵体３３は、その上端面がケース３１の天板に当接する位置まで上動される。さらに、引戸の閉鎖時には、図２に示されているように、引戸側電極内蔵体２３の引戸側磁石２６と枠側ユニット３０の枠側電極内蔵体３３の枠側磁石３６が対向する状態に位置し、両磁石同士の吸着力と、引戸側電極内蔵体２３のバネ２７，２７と枠側電極内蔵体３３のバネ３７との釣合関係により、枠側電極内蔵体３３は図２の如く引戸側方向に飛び出している。
【００２８】
前記枠側電極内蔵体３３は、前部（例えば図６〜図１０で言えば下部）を開口したケース３１に収納するとともに、該枠側電極内蔵体３３と前記ケース３１との間には引戸ａの開閉方向及び引戸ａの厚さ方向に遊びを形成してある。
すなわち、図９に示すように、枠側電極内蔵体３３の外壁に形成したフランジ３３ａと、ケース３１の外壁３１ｆとの間には隙間からなる遊びｍを形成しており、この遊びｍのストローク量だけ枠側電極内蔵体３３が引戸の開閉方向Ｘへ移動できるようにしてある。また、図１０に示すように、枠側電極内蔵体３３の側壁３３ｂと、ケース３１の取付板３１ｂの開口３１ｂ１との間には隙間からなる遊びｎを形成しており、この遊びｎのストローク量だけ枠側電極内蔵体３３が引戸の厚さ方向Ｙへ移動できるようにしてある。
【００２９】
そして、引戸の完全閉鎖時には、図２に示すように、前記引戸側磁石２６と枠側磁石３６とは吸引し合い引戸の完全閉鎖まで引戸側電極２４と枠側電極３４とがお互に摺動して接点が磨かれるとともに通電状態となる。また、引戸の開放時には、引戸側電極２４と枠側電極３４とは接触している区間ではお互に摺動して接点が磨かれる。
【００３０】
さらに、前記引戸側電極内蔵体２３と枠側電極内蔵体３３とは、引戸の開放状態から閉鎖する際に、お互が向き合う始端面２３ｃ，３３ｃを傾斜面としてある。
【００３１】
この実施例の作用を以下に簡単に説明する。
引戸ａを完全に閉鎖すると、図２に示すように、引戸側磁石２６とそれに対応する枠側磁石３６との磁性吸着力と、引戸側電極内蔵体２３のバネ２７と枠側電極内蔵体３３のバネ３７の付勢力との相乗作用により、特に、前者の引戸側磁石２６と枠側磁石３６との吸着力により、引戸側電極内蔵体２３と枠側電極内蔵体３３とが完全に、しかも正常な導通状態に確実に保持できる。そのため、引戸側電極２４と枠側電極３４とが強固にかつ確実に接触されるため、風や人の操作で引戸がガタついた場合などにおいても導通は正常であって接触不良が防止され、制御盤側リード線３５から引戸用の通電装置１０及び引戸側リード線２５を介して電気錠１が通電可能となる。そこで、制御盤側リード線３５の施錠用リード線に施錠用信号を送ると、電気錠１の錠杆２が戸枠ｂの受孔３に係合されて施錠される。一方、制御盤側リード線３５の解錠用リード線に解錠用信号を送ると、電気錠１の錠杆２が戸枠ｂの受孔３から係合解除されて解錠される。
【００３２】
図２の如く、引戸ａの閉鎖状態から引戸ａを開放して行くと、引戸側電極２４と枠側電極３４とが接触している区間（ほぼ引戸側磁石２６と枠側磁石３６とが吸着している区間に等しい。）では、お互に摺動して接点が磨かれるので、その接点部分の付着物を清掃できる。例えば図１３や図１４の如く、両電極２４，３４同士が非接触状態になるまで、更に引戸ａを開放すると、両電極２４，３４は非通電状態であるので、電気錠１を施解錠操作することができない。
【００３３】
また、既述したように、引戸側磁石２６と枠側磁石３６との吸着力により、引戸側電極内蔵体２３と枠側電極内蔵体３３とが完全に、しかも正常な導通状態に確実に保持できるのに加え、枠側電極内蔵体３３とケース３１との間には引戸の開閉方向及び引戸の厚さ方向に遊びｍ，ｎを形成しているため、引戸側電極２４と枠側電極３４との接点の接触部分の位置ずれが防止でき、電気的なノイズの発生がなくなる。
【００３４】
なお、引戸用の通電装置１０は、引戸ａの縦框ａ１と、該縦框ａ１に対向する戸枠ｂの縦枠ｂ１に取り付けることもできる。
【００３５】
また、引戸側電極２４の形状や大きさは、特に限定しないが、好ましくは、引戸ａの開閉方向に長くするとともに、枠側電極３４と大きく面接触する平板状のものが好ましい（図１５参照）。例えば、図１６に示すように、引戸側電極２４の表面に山２４１や谷２４２を形成するとともに、枠側電極３４の下面をフラット面３４１として、両者の接点部が万遍なく磨かれるようにして、清掃効果を一層向上させるものが好ましい。
なお、枠側電極３４の形状は引戸側電極２４の摺動により押し込まれる形状であればよい。
【００３６】
さらに、遊びｍ，ｎと同様に、引戸側電極内蔵体２３とそのケース２１との間には引戸の開閉方向Ｘ及び引戸の厚さ方向Ｙに遊びを設けることもできる。
【００３７】
電気錠１の内部の電気回路及び制御回路は任意であり、例えば瞬時通電解錠型、臨時通電施解錠型、通電時解錠型やその他任意に採用することができる。
【産業上の利用可能性】
【００３８】
本発明は、片引戸や引違い戸などの引戸用の通電装置として採用できる。
【図面の簡単な説明】
【００３９】
【図１】本発明に係る引戸用の通電装置を取付けた使用状態の一例を示した正面図である。
【図２】引戸の閉鎖時で通電状態を示す要部断面図である。
【図３】図２の１１１線−１１１線方向から見た概略説明図である。
【図４】引戸側ユニットの常態時における縦断面図である。
【図５】図４の状態から引戸側電極内蔵体を下動した場合の引戸側ユニットの縦断面図である。
【図６】枠側ユニットの常態時における縦断面図である。
【図７】図６のＶ１１線−Ｖ１１線方向から見た概略説明図である。
【図８】図６の状態から枠側電極内蔵体を上動した場合の枠側ユニットの縦断面図である。
【図９】ケースと枠側電極内蔵体との間に形成された引戸の開閉方向の遊びを示した縦断面図である。
【図１０】ケースと枠側電極内蔵体との間に形成された引戸の厚さ方向の遊びを示した縦断面図である。
【図１１】引戸側ユニットと枠側ユニットの斜視図である。
【図１２】引戸側ユニットを別な方向から見た斜視図である。
【図１３】引戸の開放時で引戸側電極内蔵体の傾斜面と枠側電極内蔵体の傾斜面とが当接している状態を示す要部断面図である。
【図１４】図１３の状態から引戸を更に開放した状態を示す要部断面図である。
【図１５】引戸側電極と枠側電極の形状を示す説明図である。
【図１６】引戸側電極と枠側電極の他の形状を示す説明図である。
【符号の説明】
【００４０】
１                          電気錠
１０                        引戸用の通電装置
２０                        引戸側ユニット
２１                        ケース
２３                        引戸側電極内蔵体
２３ｃ，３３ｃ              始端面（傾斜面）
２４                        引戸側電極
２５                        引戸側リード線
２６                        引戸側磁石
２７                        バネ
３０                        枠側ユニット
３１                        ケース
３３                        枠側電極内蔵体
３４                         枠側電極
３５                        制御盤側リード線
３６                         枠側磁石
３７                         バネ
３８                         バネ
ａ                           引戸
ｂ                           戸枠
ｍ                           遊び
ｎ                            遊び
【図１】
2007297881.tif 000003
【図２】
2007297881.tif 000004
【図３】
2007297881.tif 000005
【図４】
2007297881.tif 000006
【図５】
2007297881.tif 000007
【図６】
2007297881.tif 000008
【図７】
2007297881.tif 000009
【図８】
2007297881.tif 000010
【図９】
2007297881.tif 000011
【図１０】
2007297881.tif 000012
【図１１】
2007297881.tif 000013
【図１２】
2007297881.tif 000014
【図１３】
2007297881.tif 000015
【図１４】
2007297881.tif 000016
【図１５】
2007297881.tif 000017
【図１６】
2007297881.tif 000018